【事件の表示】
　特許第３０４１６０２号「電子時計および電子時計の表示方法」の請求項１ないし６に係る特許に対する特許異議の申立てについて、次のとおり決定する。
【結　論】
　訂正を認める。
　特許第３０４１６０２号の請求項に係る特許を取り消す。
【理　由】
１．手続の経緯
　特許第３０４１６０２号の請求項１ないし６に係る発明は、平成１０年６月５日に特許出願され、平成１２年３月１０日にその特許権の設定登録がなされ、その後、平成１２年１１月１５日にシチズン時計株式会社より特許異議の申立がなされ、取消しの理由が通知され、その所定の期間内である平成１３年６月１１日に特許異議意見書と訂正請求書が提出されたものである。
２．訂正の適否についての判断
（１）訂正の内容
　　ア．訂正事項ａ
特許請求の範囲の請求項１及び請求項２に係る記載の「地域情報記
録手段」を「地域情報記録手段としてのＲＯＭ」と訂正する。
　　イ．訂正事項ｂ
特許請求の範囲の請求項１及び請求項２に係る記載の「地域情報登録
手段」を「地域情報登録手段としてのＲＡＭ」と訂正する。
　　ウ．訂正事項ｃ
特許請求の範囲の請求項４に係る記載の「情報データを多数記録する
地域情報記録過程」を「情報データをＲＯＭに多数記録する地域情報
記録過程」と訂正する。
　　エ．訂正事項ｅ
特許請求の範囲の請求項５に係る記載の「階層構造で記録した地域
情報記録過程」を「階層構造でＲＯＭに記録した地域情報記録過程」
と訂正する。
　　オ．訂正事項ｄ
特許請求の範囲の請求項５に係る記載の「情報データを少数登録する
選択地域情報登録過程」を「情報データをＲＡＭに少数登録する選択
地域情報登録過程」と訂正する。
（２）訂正の目的の適否、新規事項の有無及び拡張・変更の存否
　上記訂正事項ａは、特許明細書の特許請求の範囲に記載された「地域情報記録手段」を具体的に「地域情報記録手段としてのＲＯＭ」と限定するものである。この限定は、特許明細書第３頁右欄第４０行目〜第４１行目及び第２図等の記載に基づくものである。
　上記訂正事項ｂは、特許明細書の特許請求の範囲に記載された「地域情報登録手段」を具体的に「地域情報登録手段としてのＲＡＭ」と限定するものである。この限定は、特許明細書第３頁右欄第４４行目〜第４９行目及び第２図等の記載に基づくものである。
　上記訂正事項ｃは、特許明細書の特許請求の範囲に記載された「情報データを多数記録する地域情報記録過程」を具体的に「情報データをＲＯＭに多数記録する地域情報記録過程」と限定するものである。この限定は、特許明細書第３頁右欄第４０行目〜第４１行目及び第２図等の記載に基づくものである。
　上記訂正事項ｄは、特許明細書の特許請求の範囲に記載された「階層で記録した地域情報記録過程」を具体的に「階層でＲＯＭに記録した地域情報記録過程」と限定するものである。この限定は、特許明細書第３頁右欄第４０行目〜第４１行目、同第４頁左欄第３行目〜第５行目及び第２図等の記載に基づくものである。
　上記訂正事項ｅは、特許明細書の特許請求の範囲に記載された「情報データを少数登録する地域情報記録過程」を具体的に「情報データをＲＡＭに少数登録する地域情報登録過程」と限定するものである。この限定は、特許明細書第４頁右欄第３６行目〜第３９行目及び第４図等の記載に基づくものである。
   
　したがって、この訂正は、特許請求の範囲の減縮を目的とした明細書の訂正に該当するものである。また、上記訂正事項は、願書に添付した明細書または図面に記載した事項の範囲内の訂正であり、実質上特許請求の範囲を拡張しまたは変更するものでもない。
（３）むすび
したがって、上記訂正は、特許法第１２０条の４第２項及び同条第３項で準用する第１２６条第２項及び第３項の規定に適合するので、当該訂正を認める。
３．特許異議の申立てについての判断
（１）本件発明
　本件発明は、訂正された明細書の特許請求の範囲の請求項１ないし６に記載された事項に特定される次のとおりのものである。
【請求項１】  国、都市その他の地域データと共に当該地域データに関する時刻その他の情報データを多数記録する地域情報記録としてのＲＯＭと、前記地域データ中から特定の地域データを選択する地域選択手段と、選択した地域データと当該地域データに関する情報データを少数登録する選択地域情報登録手段としてのＲＡＭと、選択した地域データと当該地域データに関する情報データを表示する選択地域情報表示手段と、を備えたことを特徴とする電子時計。   　　　　　　　　　　　　
　　　　　　　
（訂正明細書段落００１８中の記載「・・・データＲＯＭ（地域情報記録手段）４・・・；」等から、「地域情報記録としてのＲＯＭ」は「地域情報記録手段としてのＲＯＭ」の誤記であることは明らかあるから、上記のとおり認定した。以下「本件発明１」とする。）
【請求項２】 国、都市その他の地域データと共に当該地域データに関する時刻その他の情報データを、地域的に大きなものから階層構造で記録した地域情報記録手段としてのＲＯＭと、階層検索することにより前記地域データ中から特定の地域データを選択する地域選択手段と、選択した地域データと当該地域データに関する情報データを少数登録する選択地域情報登録手段としてのＲＡＭと、選択した地域データと当該地域データに関する情報データを表示する選択地域情報表示手段と、を備えたことを特徴とする電子時計。　（以下「本件発明２」とする。）
【請求項３】 前記選択地域情報登録手段に登録した前記選択した地域データと当該地域データに関する情報データを前記選択地域情報表示手段で順次表示させるボタンを有する請求項２記載の電子時計。
（請求項３において請求項３を引用しているのは誤記であるのは明らかであるから、上記のとおり認定した。以下「本件発明３」とする。）
【請求項４】 国、都市その他の地域データと共に当該地域データに関する時刻その他の情報データをＲＯＭに多数記録する地域情報記録過程と、
前記地域データ中から特定の地域データを選択する地域選択過程と、選択した地域データと当該地域データに関する情報データをＲＡＭ少数登録する選択地域情報登録過程と、選択した地域データと当該地域データに関する情報データを表示する選択地域情報表示過程と、を含むことを特徴とする電子時計の表示方法。　（以下「本件発明４」とする。）
【請求項５】 国、都市その他の地域データと共に当該地域データに関する時刻その他の情報データを、地域的に大きなものから階層構造でＲＯＭ記録した地域情報記録過程と、階層検索することにより前記地域データ中から特定の地域データを選択する地域選択過程と、選択した地域データと当該地域データに関する情報データをＲＡＭに少数登録する選択地域情報登録過程と、選択した地域データと当該地域データに関する情報データを表示する選択地域情報表示過程と、を備えたことを特徴とする電子時計の表示方法。　（以下「本件発明５」とする。）
【請求項６】 前記選択地域情報登録過程で登録した前記選択した地域データと当該地域データに関する情報データを前記選択地域情報表示過程で順次表示させる請求項４又は５記載の電子時計の表示方法。　（以下「本件発明６」とする。）
（２）引用刊行物に記載された発明
　　イ．刊行物１：特開平３−５９４９３号公報（以下、「引用例１」という。）
　　ロ．刊行物２：特開昭５４−１１１８６５号公報（以下、「引用例２」という。）
　当審で通知した取消しの理由で引用した引用例１には、
　「従来の世界時計では、予め時計製造者が設定した地域を、使用者がボタン操作によって順番に一つの地域ずつ呼び出さなければならず、使用者が知りたい地域の時刻を知るのにかなり煩わしい思いをしなければならなかった。」（公報第１頁右欄第４〜８行）、
　「本発明は以上のような課題を解決し、使用者が知りたい地域の時刻を容易に呼び出すことが出来る世界時計を提供することを目的としている。」（公報第１頁右欄第１４〜１６行）、
　「上記目的を達成するために、本発明は次のような構成をしている。即ち、複数の地名を記憶する記憶手段と、地名とその地名における時刻を表示する表示手段とを有する世界時計において、記憶されている複数の地名のうち時刻を知りたい一つ又は複数の地名を選択する選択手段と、該選択手段で選択された地名とその時刻を検索し表示するための検索手段とを有している。」（公報第１頁右欄第１８行〜同第２頁第５行）、
　「都市名記憶回路１２には後述する第１表に示してある都市名とその時差が記憶されていて、その中から都市選択装置１５によって使用者が知りたい都市を選択する。尚、都市名記憶回路１２の内部は第１表の３０の都市毎にメモリが分かれている。第１図ではそのうち一部が記載されており、１２ａはＵＴＣ（協定世界時の略）のメモリ、１２ｂはＬＯＮ（ロンドンの略）のメモリ・・・１２ｆはＣＣＳ（カラカスの略）のメモリである。又、それぞれのメモリはさらに都市の選択状態を記憶する選択メモリ１２イ、都市名を記憶する都市名メモリ１２ロ、時差を記憶する時差メモリ１２ハに分かれている。都市検索回路１６は都市記憶回路１２に記憶されている都市のうち都市選択装置１５によって選択された都市を選んでその都市の名称を都市表示部３に表示させる。」（公報第２頁左下欄第１５行〜同右下欄第１４行及び第１図）、
　「（Ｇ）の状態においてスイッチボタンＳＷ１を押すと、都市選択装置１５は都市検索回路１６に次の都市を検索させる信号を出力する。都市検索回路１６はＮＹＣの次に選択メモリの内容が選択である都市を都市名記憶回路１２から検索する。ＮＹＣの次に選択メモリの内容が選択である都市はＬＯＮであり、ＬＯＮのメモリ１２ｂは、ＬＯＮの時差メモリ１２ハから時差演算回路１３にＬＯＮの時差データを送信し、ＬＯＮの都市メモリ１２ロから都市名表示部３にＬＯＮの都市名のデータを送信する。時差演算回路１３はＬＯＮの時差データと計時回路１１の計時するホームタイムの時刻からＬＯＮの時刻を計算してワールドタイム表示部４に表示させる。」（公報第４頁左上欄第４行〜第１７行及び第３図）、
　「従って従来のように使用者の知りたい地域の時刻を呼び出す時に必要の無い地域の時刻を呼び出さなくて済むため、すばやく知りたい地域の時刻を呼び出す事が出来る便利な世界時計が構成できる。」（公報第５頁右下欄第１９行〜同第６頁左上欄第３行）、
　「尚、３０の都市の選択メモリ１２イのうちＬ０Ｍ、ＴＹＯ、ＮＹＣの選択メモリ１２イの内容が選択であり、残りの都市の選択メモリ１２イの内容は非選択になっている」（公報第３頁右下欄第８行〜第１１行）、
　「又、サマータイムマーク７はサマータイム制が採用されていることを示すため点灯している。」（公報５頁左上欄第２行〜第４行）、及び
　「（Ａ）又は（Ｂ）の状態において、スイッチボタンＳＷ１を押すと、第１表における次の都市であるＹＵＬの選択、非選択の設定に移行する。・・・・・スイッチボタンＳＷ２を押すことによってＹＵＬの選択（”ＳＥＴ”表示）、非選択（”ＯＦＦ”）を切り換えることが出来る。さらに（Ｃ）又は（Ｄ）の状態において、スイッチボタンＳＷ１を押すと、第１表における次の都市のＣＣＳの選択、非選択の設定に移行する。・・・・・以下同様の操作によって第１表に示す全ての都市の選択、非選択を設定することが出来る。」（公報第５頁右上欄第５行〜同右下欄第３行）の記載が図面と共に記載されている。
　同じく引用例２には、「（１）複数の都市の中から１都市を選択し、該選択された都市に基づく都市時刻の表示を行う世界時計に於いて、前記複数の都市を複数個のブロックに分類し、該複数個のブロックの中から１ブロックを選択する第１選択手段と、該第１選択手段により選択されたブロックから１都市を選択する第２選択手段を有することを特徴とするデジタル世界時計の都市選択方式。（２）特許請求の範囲第１項記載の複数個のブロックの分類は、地域に基づき分類したことを特徴とするデジタル世界時計の都市選択方式。」（公報第１頁左欄第４行〜第１５行）、
　「大陸選択スイッチ４の押し操作に基づき・・・各大陸ブロックを予じめ設定しておくことが大陸の選択が可能であること・・・・・本実施例では大陸ブロックを５個に分類しているが・・・他の大陸を含め更に細分類することも可能である。」（公報第３頁右下欄第１第〜第１４行）、及び
　「複数の大陸ブロックから１つの大陸ブロックを選択し、更にその選択された大陸ブロック内に与えられた複数の都市から１つの都市を選択する方式」（公報第４頁左下欄第３行〜第６行）が記載されている。
（３）対比・判断
　　ア．本件発明１について
　本件発明１と引用例１に記載された発明とを比較すると、引用例１の「都市名メモリ１２ロ；時差メモリ１２ハ」、「都市選択装置１５；都市検索回路１６」、及び「表示パネル２」がそれぞれ本件発明１の「地域情報記録手段」、「地域選択手段」、及び「選択地域情報表示手段」に相当していることは明らかである。　また、引用例１における「時差データ」は各都市毎に設けられていること、及び引用例１における「サマータイムマーク７」は当該都市がサマータイム制を採用していることを表示するものであることから、これらは、「地域データに関する時刻その他の情報データ」に相当している。さらに、引用例１における「選択メモリ１２イ」は、「都市選択装置１５」によって都市名が「地域データ」として選択された場合に、当該選択に係る都市名と時差データが選択状態であることを記憶するものであること、かつ、スイッチボタンＳＷ１、ＳＷ２の操作によって全ての都市の当該選択、非選択を設定できることから、引用例１の「記憶」は、本件発明１の「登録」と同意義であり、該メモリがＲＡＭで構成されていることは明らかである。
　従って、両者は下記の【一致点】で一致し、下記の【相違点１〜３】で相違している。
【一致点】
　　都市の地域データと共に当該地域データに関する時刻その他の情報データを多数記録する地域情報記録手段と、前記地域データ中から特定の地域データを選択する地域選択手段と、選択した地域データに係るデータを少数登録する選択地域情報登録手段としてのＲＡＭと、選択した地域データと当該地域データに関する情報データを表示する選択地域情報表示手段と、を備えたことを特徴とする電子時計。
【相違点１】
　　「地域データ」が、本件発明１では「国、都市その他の地域データ」であるのに対して、引用例１のものでは「都市の地域データ」である点。
【相違点２】
「地域情報記録手段」が、本件発明１では「ＲＯＭ」であるのに対して、引用例１のものでは記録手段としてのメモリの種類については特定されていない点。
【相違点３】
「選択地域情報登録手段」に登録されるデータが、本件発明１では「選択した地域データと当該地域データに関する情報データ」であるのに対して、引用例１のものでは「選択した地域データと当該地域データに関する情報データが選択状態にあるか否かを示すデータ」である点。
　上記【相違点１】については、引用例２には地域データとして「都市」以外にも「大陸ブロック」を選択することが記載されているばかりではなく、大陸ブロックを更に細分類し得ることも記載されていることから、引用例１の「地域データ」として「都市」以外にも他の分類の仕方として「国」「その他の地域」を用いる程度のことは当業者が容易になし得ることである。
　上記【相違点２】については、書き換え不要のデータをＲＯＭに入れることは周知手段（例えば、実願昭６３−１５５４８号（実開平１−１２０６９４号）のマイクロフィルム参照（以下、「周知例」という。）；ＲＯＭ４に留意）にすぎないから、引用例１の「地域情報記録手段」をＲＯＭで構成することは当業者が適宜になし得る設計的事項にすぎない。
　上記【相違点３】については、当該技術分野において、地域データと共に当該地域データに関する時刻その他の情報データを多数記録する地域情報記録手段としてのＲＯＭから地域データを選択し、該選択した地域データを選択地域情報登録手段としてのＲＡＭに少数登録することは周知手段（上記周知例参照；ＲＯＭ４，ＲＡＭ６に留意）にすぎないから、引用例１の「選択メモリ１２イ」（地域情報登録手段）に地域データと共に当該地域データに関する時刻その他の情報データを登録するように構成することは、当業者であれば容易になし得ることである。
　したがって、本件発明１は、引用例１、２に記載された発明及び周知の技術に基づいて、当業者が容易に発明をすることができたものである。
　また、本件発明１の奏する効果は、引用例１、２に記載された発明及び周知の技術に基づいて、当業者が予測しうる程度のものにすぎない。
　　イ．本件発明２について
　本件発明２と引用例１に記載された発明とを比較すると、引用例１の「都市名メモリ１２ロ；時差メモリ１２ハ」、「都市選択装置１５；都市選択回路１６」、及び「表示パネル２」がそれぞれ本件発明２の「地域情報記録手段」、「地域選択手段」、及び「選択地域情報表示手段」に相当していることは明らかである。　また、引用例１における「時差データ」は各都市毎に設けられていること、及び引用例１における「サマータイムマーク７」は当該都市がサマータイム制を採用していることを表示するものであることから、これらは、「地域データに関する時刻その他の情報データ」に相当している。さらに、引用例１における「選択メモリ１２イ」は、「都市選択装置１５」によって都市名が「地域データ」として選択された場合に、当該選択に係る都市名と時差データが選択状態であることを記憶するものであること、かつ、スイッチボタンＳＷ１、ＳＷ２の操作によって全ての都市の当該選択、非選択を設定できることから、引用例１の「記憶」が本件発明２の「登録」と同意義であり、該メモリがＲＡＭで構成されていることは明らかである。　
　従って、両者は下記の【一致点】で一致し、下記の【相違点１〜５】で相違している。
【一致点】
　　都市の地域データと共に当該地域データに関する時刻その他の情報データを多数記録する地域情報記録手段と、検索することにより前記地域データ中から特定の地域データを選択する地域選択手段と、選択した地域データに係るデータを少数登録する選択地域情報登録手段としてのＲＡＭと、選択した地域データと当該地域データに関する情報データを表示する選択地域情報表示手段と、を備えたことを特徴とする電子時計。
【相違点１】
　　「地域データ」が、本件発明１では「国、都市その他の地域データ」であるのに対して、引用例１のものでは「都市の地域データ」である点。
【相違点２】
　　「地域情報記録手段」が、本件発明１では「ＲＯＭ」であるのに対して、引用例１のものでは記録手段としてのメモリの種類については特定されていない点。
【相違点３】
「選択地域情報登録手段」に登録されるデータが、本件発明１では「選択した地域データと当該地域データに関する情報データ」であるのに対して、引用例１のものでは「選択した地域データと当該地域データに関する情報データが選択状態にあるか否かを示すデータ」である点。
【相違点４】
　「地域情報記録手段」が、本件発明２では「地域的に大きなものから階層構造」で記録しているのに対して、引用例１のものでは階層構造を取っていない点。
【相違点５】
　「地域選択手段」が、本件発明２では「階層」検索を行っているのに対して、引用例１のものでは階層検索を行っていない点
　上記【相違点１〜３】に対する判断は、上記「ア．本件発明１について」における【相違点１〜３】についての判断と同様である。
　【相違点４及び５】については、引用例２には、大陸から都市を検索できるように地域的に大きなものから階層的に分類して記憶し、階層検索を行っていることが記載されていることから、本件発明２のように構成する程度のことは当業者が容易になし得ることである。
　したがって、本件発明２は、引用例１、２に記載された発明及び周知の技術に基づいて、当業者が容易に発明をすることができたものである。
　また、本件発明２の奏する効果は、引用例１，２に記載された発明及び周知の技術に基づいて、当業者が予測しうる程度のものにすぎない。
　　ウ．本件発明３について
　本件発明３は、請求項３を引用しており、これは誤記であることは明らかであるので、本件発明３は本件発明２を引用しているものとして、本件発明２をさらに限定した事項について検討する。
　本件発明３では、「選択地域情報登録手段に登録した選択した地域データと当該地域データに関する情報データを選択地域情報表示手段で順次表示させるボタン」の構成により本件発明２を更に限定するものであるが、当該構成は、引用例１の「スイッチボタンＳＷ１」が相当するから、この点は引用例１に記載されている。
　したがって、本件発明３は、上記「イ．本件発明２について」において述べたと同様の理由により、引用例１，２に記載された発明及び周知の技術に基づいて、当業者が容易に発明をすることができたものである。
　また、本件発明３の奏する効果は、引用例１，２に記載された発明及び周知の技術に基づいて、当業者が予測しうる程度のものにすぎない。
　なお、本件発明３が本件発明１を引用したとしても上記判断と同様である。
　　エ．本件発明４〜６について
　本件発明４〜６については、本件発明１〜３と発明のカテゴリーが相違するが、実質的に本件発明１〜３と同一であるから、上記「ア．本件発明１について」〜「ウ．本件発明３について」に記載したのと同様に、引用例１，２に記載された発明及び周知の技術に基づいて、当業者が容易に発明をすることができたものである。
（４）むすび
　以上のとおりであるから、本件発明１〜６は、その出願日前に頒布された刊行物に記載された発明に基づいて当業者が容易に発明をすることができたものであるから、本件発明１〜６についての特許は、特許法２９条第２項の規定に違反してされたものである。
　したがって、本件発明１〜６についての特許は、特許法第１１３条第２号に該当し、取り消されるべきものである。
　よって、結論のとおり決定する。
【異議決定日】
平成１３年７月５日（２００１．７．５）
【訂正の要旨】
訂正の要旨
　ア．訂正事項ａ
　特許請求の範囲の請求項１及び請求項２に係る記載の「地域情報記録手段」を「地域情報記録手段としてのＲＯＭ」と訂正する。
　イ．訂正事項ｂ
　特許請求の範囲の請求項１及び請求項２に係る記載の「地域情報登録手段」を「地域情報登録手段としてのＲＡＭ」と訂正する。
　ウ．訂正事項ｃ
　特許請求の範囲の請求項４に係る記載の「情報データを多数記録する地域情報記録過程」を「情報データをＲＯＭに多数記録する地域情報記録過程」と訂正する。
　エ．訂正事項ｅ
　特許請求の範囲の請求項５に係る記載の「階層構造で記録した地域情報記録過程」を「階層構造でＲＯＭに記録した地域情報記録過程」と訂正する。
　オ．訂正事項ｄ
　特許請求の範囲の請求項５に係る記載の「情報データを少数登録する選択地域情報登録過程」を「情報データをＲＡＭに少数登録する選択地域情報登録過程」と訂正する。
（５４）【発明の名称】
電子時計および電子時計の表示方法
（５７）【特許請求の範囲】
　【請求項１】　国、都市その他の地域データと共に当該地域データに関する時刻その他の情報データを多数記録する地域情報記録としてのＲＯＭと、
　前記地域データ中から特定の地域データを選択する地域選択手段と、
　選択した地域データと当該地域データに関する情報データを少数登録する選択地域情報登録手段としてのＲＡＭと、
　選択した地域データと当該地域データに関する情報データを表示する選択地域情報表示手段と、
を備えたことを特徴とする電子時計。
　【請求項２】　国、都市その他の地域データと共に当該地域データに関する時刻その他の情報データを、地域的に大きなものから階層構造で記録した地域情報記録手段としてのＲＯＭと、
　階層検索することにより前記地域データ中から特定の地域データを選択する地域選択手段と、
　選択した地域データと当該地域データに関する情報データを少数登録する選択地域情報登録手段としてのＲＡＭと、
　選択した地域データと当該地域データに関する情報データを表示する選択地域情報表示手段と、
を備えたことを特徴とする電子時計。
　【請求項３】　前記選択地域情報登録手段に登録した前記選択した地域データと当該地域データに関する情報データを前記選択地域情報表示手段で順次表示させるボタンを有する請求項２又は３記載の電子時計。
　【請求項４】　国、都市その他の地域データと共に当該地域データに関する時刻その他の情報データをＲＯＭに多数記録する地域情報記録過程と、
　前記地域データ中から特定の地域データを選択する地域選択過程と、
　選択した地域データと当該地域データに関する情報データをＲＡＭに少数登録する選択地域情報登録過程と、
　選択した地域データと当該地域データに関する情報データを表示する選択地域情報表示過程と、
を含むことを特徴とする電子時計の表示方法。
　【請求項５】　国、都市その他の地域データと共に当該地域データに関する時刻その他の情報データを、地域的に大きなものから階層構造でＲＯＭに記録した地域情報記録過程と、
　階層検索することにより前記地域データ中から特定の地域データを選択する地域選択過程と、
　選択した地域データと当該地域データに関する情報データをＲＡＭに少数登録する選択地域情報登録過程と、
　選択した地域データと当該地域データに関する情報データを表示する選択地域情報表示過程と、
を備えたことを特徴とする電子時計の表示方法。
　【請求項６】　前記選択地域情報登録過程で登録した前記選択した地域データと当該地域データに関する情報データを前記選択地域情報表示過程で順次表示させる請求項４又は５記載の電子時計の表示方法。
【発明の詳細な説明】
　【０００１】
　【発明の属する技術分野】
　この発明は、電子時計および電子時計の表示方法に関し、更に詳しくは、目的の国または都市などを探しやすく、国または都市などの選択が容易な電子時計および電子時計の表示方法に関する。
　【０００２】
　【従来の技術】
　従来より、世界の国名や都市名とともにその国または都市などの時刻を表示するワールドタイム機能付きの電子時計が広く普及している。係る機能は、主にデジタル時計に採用されており、三針式時計に用いているものはまれである。また、ワールドタイム機能は、置き時計のみならず、近年の腕時計の多機能化に伴って腕時計にも多く採用されている。
　【０００３】
　さて、このようなワールドタイム機能付き電子時計では、主な国名と都市名、およびこれらの国または都市の時刻データを本体の内蔵メモリに登録している。また、時刻データ以外にも、通貨レート、平均気温など国または都市に関する各種情報データを内蔵メモリに登録していることが多い。通常、ユーザがモード選択ボタンによってワールドタイム機能モードを選択すると、表示部に前に選択した国または都市の時刻その他の情報が表示される。つぎに、セレクトボタンを押すことにより、国または都市を順次表示しつつ、表示したい国または都市を探す。
　【０００４】
　ユーザが、表示させたい国または都市を見つけたら、セレクトボタンを押すのを止める。これにより、表示部には、特定の国または都市に関する情報が表示される。また、別の国または都市の情報を知りたいときは、再びセレクトボタンを押しつつ、目的の国または都市を探す。通常の時計モードに戻るときは、モード選択ボタンを押せばよい。ユーザは、このようにして世界各国の時刻その他の情報を知ることができる。
　【０００５】
　【発明が解決しようとする課題】
　しかしながら、上記従来の電子時計では、特定の国または都市を選択した後、更につぎの国または都市を選択した場合であって、前に選択した国または都市の情報を知りたいときは、再びセレクトボタンを押しつつ前の国または都市を探さなければならない。また、セレクトボタンに送り動作と戻し動作の機能を備えたものもあるが、前に選択した国または都市が、現在選択している国または都市と離れている場合は、やはり、セレクトボタンを押しつつ前の国または都市を探す必要がある。このため、国または都市の選択に手間がかかるという問題点があった。
　【０００６】
　特に、腕時計では、表示部の面積が限られているため、国または都市の登録数が多くなると、同時に表示できる国名または都市名が限られるため（普通は１つのみ）、非常に探しにくくなる。また、都市レベル以下、例えば町やビーチ名まで下がると、更に困難になる。そこで、この発明は、上記に鑑みてなされたものであって、目的の国または都市などを探しやすく、国または都市などの選択が容易な電子時計を提供することを目的とする。
　【０００７】
　【課題を解決するための手段】
　上述の目的を達成するために、本発明の第一の構成による電子時計は、国、都市その他の地域データと共に当該地域データに関する時刻その他の情報データを多数記録する地域情報記録手段と、前記地域データ中から特定の地域データを選択する地域選択手段と、選択した地域データと当該地域データに関する情報データを少数登録する選択地域情報登録手段と、選択した地域データと当該地域データに関する情報データを表示する選択地域情報表示手段と、を備えたものである。
　【０００８】
　世界時計には、通常、多数の国や都市などが記録されている。この発明では、この多数記録されている国などから特定の国などを少数選択して登録しておくようにする。そして、この登録した国名とその国に関する情報を表示する。登録する国や都市などは少数であるから、容易に検索できる。例えば使用頻度の高い２つ〜５つ程度の国または都市などを登録するようにすれば、検索の手間が省ける。
　【０００９】
　また、本発明の第二の構成による電子時計は、国、都市その他の地域データと共に当該地域データに関する時刻その他の情報データを多数記録する地域情報記録手段を有し、この地域データの中から特定の地域を選択して表示する電子時計において、前記地域情報記録手段に記録している国、都市などの地域データを、地域的に大きなものから階層構造とし、地域選択の際に階層検索を行うようにしたものである。
　【００１０】
　多数の国などが記録されている場合であって、これらの中から特定の国を選択するとき、ユーザは国などを順次表示しつつ検索しなければならない。そこで、この発明では、地域的に大きなものから地域データを階層構造にし、選択の際に階層検索を行うようにした。このため、特定の地域を容易に検索できる。特に、表示面積の少ない腕時計に有用である。
　【００１１】
　また、本発明の第三の構成による電子時計は、国、都市その他の地域データと共に当該地域データに関する時刻その他の情報データを、地域的に大きなものから階層構造で記録した地域情報記録手段と、階層検索することにより前記地域データ中から特定の地域データを選択する地域選択手段と、選択した地域データと当該地域データに関する情報データを少数登録する選択地域情報登録手段と、選択した地域データと当該地域データに関する情報データを表示する選択地域情報表示手段と、を備えたものである。
　【００１２】
　この発明では、この多数記録されている地域から特定の地域を少数選択して登録しておくようにする。この登録地域の選択の際には、階層検索を行う。そして、この登録した地域名とその地域に関する情報を表示する。登録する国や都市などは少数であるから、階層検索を用いることで容易に検索選択できる。また、使用頻度の高い地域を選択登録して表示するから、必要な情報を容易に得ることができる。
　【００１３】
　また、本発明の第四の構成による電子時計の表示方法は、国、都市その他の地域データと共に当該地域データに関する時刻その他の情報データを多数記録する地域情報記録過程と、前記地域データ中から特定の地域データを選択する地域選択過程と、選択した地域データと当該地域データに関する情報データを少数登録する選択地域情報登録過程と、選択した地域データと当該地域データに関する情報データを表示する選択地域情報表示過程と、を含むものである。
　【００１４】
　この発明では、多数記録されている国などから特定の国などを少数選択して登録しておき、この登録した国名とその国に関する情報を表示する。登録する国や都市などは少数であるから、容易に検索できる。
　また、本発明の第五の構成による電子時計の表示方法は、国、都市その他の地域データと共に当該地域データに関する時刻その他の情報データを多数記録しておき、この地域データの中から特定の地域を選択して表示する電子時計の表示方法において、
　前記記録している国、都市などの地域データを、地域的に大きなものから階層構造とし、地域選択の際に階層検索を行うようにしたものである。
　【００１５】
　この発明では、地域的に大きなものから地域データを階層構造にし、選択の際に階層検索を行うようにした。このため、特定の地域を容易に検索できる。
　また、本発明の第六の構成による電子時計の表示方法は、国、都市その他の地域データと共に当該地域データに関する時刻その他の情報データを、地域的に大きなものから階層構造で記録した地域情報記録過程と、階層検索することにより前記地域データ中から特定の地域データを選択する地域選択過程と、選択した地域データと当該地域データに関する情報データを少数登録する選択地域情報登録過程と、選択した地域データと当該地域データに関する情報データを表示する選択地域情報表示過程と、を備えたものである。
　【００１６】
　この発明では、この多数記録されている地域などから特定の地域などを少数選択して登録しておき、この地域選択の際には、階層検索を行う。そして、この登録した地域名とその地域に関する情報を表示する。登録する国や都市などは少数であるから、階層検索を用いることで容易に検索選択できる。また、使用頻度の高い地域を選択登録して表示するから、必要な情報を容易に得ることができる。
　【００１７】
　【発明の実施の形態】
　以下、この発明につき図面を参照しつつ詳細に説明する。なお、この実施の形態によりこの発明が限定されるものではない。図１は、この発明の実施の形態に係る電子時計の表示部を示す説明図である。この発明の電子時計１００は、デジタルクオーツ式の世界時計であって、多針式アナログクオーツとのコンビネーションクオーツ時計（図示省略）も対象になる。この電子時計１００の液晶パネル１０１には、国名、都市名その他の地域を表示する地域情報表示部１０２と、地域情報表示部１０２に表示した地域の時刻その他の情報を表示する情報表示部１０３と、その地域の潮汐情報をグラフで表示する潮汐情報表示部１０４とが備えてある。電子時計１００のケース１０５には、モード選択ボタン１０６、セレクトボタン１０７、セットボタン１０８およびアジャストボタン１０９が設けてある。
　【００１８】
　図２は、図１に示した電子時計を示す構成図である。この電子時計１００は、発振回路１および分周回路２と、モード選択ボタンなどのスイッチ入力部３と、国や都市などの地域データおよび当該地域データに関する情報データを記録しているデータＲＯＭ（地域情報記録手段）４と、情報データ処理や時計の制御を行うプログラムを記録したプログラムＲＯＭ５と、プログラムに従って情報データを処理すると共に時計全体の制御を行うＣＰＵ６と、ユーザが選択した情報データを記録するユーザメモリ（選択地域情報登録手段）７と、表示ドライバ回路８および液晶パネル９と、から構成されている。
　【００１９】
　ユーザメモリ７はＲＡＭで構成され、３つのメモリ領域７１．７３を持つ。また、図示しないが、これらの発振回路１やユーザメモリ７などは、１次電池その他の電源（図示省略）から電力供給を受ける。なお、特許請求の範囲における地域選択手段は、上記プログラムとＣＰＵとによって構成される。また、データＲＯＭ４に記録されている国などの地域データは、地域的に大きなものから階層構造になっている（具体例は後述する）。
　【００２０】
　図３は、この電子時計の基本動作を示すフローチャートである。ステップＳ３０１では、ユーザメモリ７の３つのメモリ領域７１．７３のいずれか１つを設定する設定処理を行う。ユーザメモリ７には、特定の国または都市に関する情報データを登録する。ステップＳ３０２では、データ選択処理を行う。この処理によって、目的とする国や都市などを選択する。このデータ選択処理において、液晶パネル１０１には、所定のデータ選択表示処理がなされる。ステップＳ３０３では、ユーザメモリ７への登録処理が終了したか否か判断する。
　【００２１】
　ユーザメモリ７は３つのメモリ領域を持つから、特定の国、都市などを３つ登録できる。登録した後は、モード選択ボタン１０６により液晶パネル１０１を世界時計モードに変更する。登録した３つの国などに関する情報は、セレクトボタン１０７を押すことで、順次表示される。なお、登録できる国などの数は、３つに限定されない。また、セレクトボタン１０７は、本体ケースの側面に設けたが、操作しやすいように本体ケースの正面に設けてもよい。
　【００２２】
　つぎに、上記基本動作を詳細に説明する。
［ステップＳ３０１：ユーザメモリ設定処理］
　図４は、ユーザメモリ設定処理の詳細を示すフローチャートである。まず、モード選択ボタン１０６によりユーザメモリ設定処理モードに移行する。ステップＳ４０１では、第１メモリ領域７１にデータ登録するか否かを選択する。この状態で、液晶パネル１０１上には、図５の（ａ）に示すように「Ｍ１」の表示がなされる。第１メモリ領域７１に登録する場合は、後述するステップＳ４０２に進む。第１メモリ領域７１に登録をしない場合は、セレクトボタン１０７を押して第２メモリ領域７２に移る。ステップＳ４０２では、選択した国や都市などに関する情報データを第１メモリ領域７１上に上書きして登録する。なお、国などの選択処理の詳細は、後述する。
　【００２３】
　ステップＳ４０３では、第２メモリ領域７２にデータ登録するか否かを選択する。この状態で、液晶パネル１０１上には、図５の（ｂ）に示すように「Ｍ２」の表示がなされる。第２メモリ領域７２に登録する場合は、後述するステップＳ４０４に進む。第２メモリ領域７２に登録をしない場合は、セレクトボタン１０７を押して第３メモリ領域７３に移る。ステップＳ４０４では、上記同様、選択した国や都市などに関する情報データを第２メモリ領域７２上に上書きして登録する。
　【００２４】
　ステップＳ４０５では、第３メモリ領域７３にデータ登録することになり、液晶パネル１０１上には、図５の（ｃ）に示すように「Ｍ３」の表示がなされる。また上記同様、選択した国や都市などに関する情報データを第３メモリ領域７３上に上書きして登録する。
［ステップＳ３０２：データ選択処理］
　図６は、上記データ選択処理の詳細を示すフローチャートである。国や都市、さらに町やビーチなどに至っては、その数が多いため、階層検索により選択するようにする。ここでは、階層処理の具体例を挙げて説明し、実際の液晶パネル１０１の表示処理については後述する。
　【００２５】
　例えばカナダ、アメリカ、フランス、イギリスおよび日本のうち、いずれかの国内ビーチを選択する場合について説明する。ステップＳ６０１では、地域レベルにおいて、例えば「北米」を選択するか否かを判断する。「北米」を選択した場合、つぎに、国レベルの選択を行う。「北米」を選択しない場合、他の地域レベルの選択を行う。ステップＳ６０２では、国レベルにおいて、「アメリカ」を選択するか否かを判断する。「アメリカ」を選択しない場合は、「カナダ」を選択することになる。ステップＳ６０３では、「カナダ」を選択した場合、カナダ国内のビーチレベルでの選択を行う。ステップＳ６０４では、「アメリカ」を選択した場合、アメリカ国内のビーチレベルでの選択を行う。
　【００２６】
　一方、ステップＳ６０５では、他の地域レベルにおいて、例えば「ヨーロッパ」を選択するか否かを判断する。「ヨーロッパ」を選択した場合、つぎに、国レベルの選択を行う。「ヨーロッパ」を選択しない場合、他の地域レベルの選択を行う。ステップＳ６０６では、国レベルにおいて、「イギリス」を選択するか否かを判断する。「イギリス」を選択しない場合は、「フランス」を選択することになる。ステップＳ６０７では、「フランス」を選択した場合、フランス国内のビーチレベルでの選択を行う。ステップＳ６０８では、「イギリス」を選択した場合、イギリス国内のビーチレベルでの選択を行う。ステップＳ６０９では、残りの日本国内のビーチレベルでの選択を行う。
［ステップＳ３０２：データ選択処理］
　図７は、上記データ選択処理の中のデータ選択表示処理の詳細を示すフローチャートである。図８は、液晶パネル１０１の表示状態を示す説明図である。ステップＳ７０１では、第１メモリ領域７１または第２メモリ領域７２、さらに第３メモリ領域７３のいずれかのメモリ領域が選択された状態でアジャストボタン１０９を押すと、図８の（ａ）に示すように、地域情報表示部１０２に「ＳＥＬＥＣＴ　ＲＥＧＩＯＮ」が約２秒間表示される。ステップＳ７０２では、地域情報表示部１０２に地域名が表示される。例えば、セットボタン１０８を押す毎に「北米」、「ヨーロッパ」、「アジア」などが順次表示される。ステップＳ７０３では、現在表示されている地域を選択したい場合、セレクトボタン１０７を押すことで、地域の選択を終了し、国レベルの選択を行う。例えば図８の（ｂ）に示すように、「オセアニア」を選択する。
　【００２７】
　ステップＳ７０４では、図８の（ｃ）に示すように、地域情報表示部１０２に「ＳＥＬＥＣＴ　ＣＯＵＮＴＲＹ」が約２秒間表示される。ステップＳ７０５では、地域情報表示部１０２に国名が表示される。例えば、上記地域選択で「オセアニア」を選択してあるので、セットボタン１０８を押す毎に「オーストラリア」、「ニュージーランド」、「フィジー」などが順次表示される。ステップＳ７０６では、現在表示されている国を選択したい場合、セレクトボタン１０７を押すことで国の選択を終了し、ビーチレベルの選択を行う。例えば図８の（ｄ）に示すように、「オーストラリア」を選択する。
　【００２８】
　ステップＳ７０７では、図８の（ｅ）に示すように、地域情報表示部１０２に「ＳＥＬＥＣＴ　ＢＥＡＣＨ」が約２秒間表示される。ステップＳ７０８では、地域情報表示部１０２にビーチ名が表示される。例えば、上記国選択で「オーストラリア」を選択してあるので、セットボタン１０８を押す毎に「シドニー」、「ゴールドコースト」、「サンシャインコースト」などが順次表示される。ステップＳ７０９では、現在表示しているビーチを選択したい場合は、アジャストボタン１０９を押すことにより、選択されていたメモリ領域に選択したデータを上書き登録する。例えば図８の（ｆ）に示すように、「シドニー」を選択する。
　【００２９】
　図９は、ユーザメモリ７に登録した情報の表示例を示す説明図である。上記のようにして特定の国や都市などの情報を各メモリ領域７１．７３に登録すことで、これら情報を連続して表示することができる。例えば、上記手順により「ワイキキ」、「サンディエゴ」および「シドニー」の潮汐情報をメモリ領域７１．７３にそれぞれ登録する。ユーザがモード選択ボタン１０６によって世界表示機能を選択すると、液晶パネル１０１にまず１つ目のビーチ、例えば「ワイキキ」の潮汐情報が表示される（図中（ａ））。つぎに、ユーザがセレクトボタン１０７を押すと、２つ目のビーチ「サンディエゴ」の潮汐情報を表示する（図中（ｂ））。そして、もう１度セレクトボタン１０７を押すと、３つ目のビーチ「シドニー」の潮汐情報を表示する（図中（ｃ））。
　【００３０】
　以上、この電子時計１００では、ユーザメモリ７に頻繁に用いる国などの情報を登録しておくので、国などの検索に手間がかからない。また、階層検索ができるので、目的の国または都市などを探しやすい。特に、腕時計のような表示スペースの限られているものに有効である。
　また、上記階層検索は、国などの情報を登録する際に限らず、通常の世界時計において目的の国を探す際にも適用できる。このようにすれば、目的の国を探しやすくなる。
　【００３１】
　【発明の効果】
　以上説明したように、この発明の電子時計および電子時計の表示方法では、多数記録されている国などから特定の国などを少数選択して登録し、この登録した国名とその国に関する情報を表示するので、目的とする地域を容易に探すことができる。
　【００３２】
　また、この発明の電子時計および電子時計の表示方法では、地域データを地域的に大きなものから階層構造にし、選択の際に階層検索を行うようにした。このため、特定の地域を容易に探すことができる。特に、表示面積の少ない腕時計に有用である。
　さらに、この発明の電子時計および電子時計の表示方法では、多数記録されている地域から特定の地域を少数選択して登録しておくようにする。また、この登録地域の選択の際には、階層検索を行う。そして、この登録した地域名とその地域に関する情報を表示する。このため、選択地域を容易に検索できる。また、使用頻度の高い地域を選択登録して表示するから、必要な情報を容易に得ることができる。
【図面の簡単な説明】
　【図１】
　この発明の実施の形態に係る電子時計の表示部を示す説明図である。
　【図２】
　図１に示した電子時計を示す構成図である。
　【図３】
　この電子時計の基本動作を示すフローチャートである。
　【図４】
　ユーザメモリ登録処理の詳細を示すフローチャートである。
　【図５】
　ユーザメモリ登録処理における表示例を示す説明図である。
　【図６】
　データ選択処理の詳細を示すフローチャートである。
　【図７】
　データ選択表示処理の詳細を示すフローチャートである。
　【図８】
　液晶パネルの表示状態を示す説明図である。
　【図９】
　ユーザメモリに登録した情報の表示例を示す説明図である。
　【符号の説明】
　１００　電子時計
　１０１　液晶パネル
　１０２　地域情報表示部
　１０３　情報表示部
　１０４　潮汐情報表示部
　１０５　ケース
　１０６　モード選択ボタン
　１０７　セレクトボタン
　１０８　セットボタン
　１０９　アジャストボタン
　１　発振回路
　２　分周回路
　３　スイッチ入力部
　４　データＲＯＭ
　５　プログラムＲＯＭ
　６　ＣＰＵ
　７　ユーザメモリ
　７１　第１メモリ領域
　７２　第２メモリ領域
　７３　第３メモリ領域
　８　表示ドライバ回路
　９　液晶パネル